(57)【要約】【課題】  ダブルフリース編みのタイイン・ループとニットイン・ループからなる基礎編地に鮮明なメッシュ柄を持ったダブルフリース編地を提供する。【解決手段】  丸編機で編成されたインレー、タイ・イン、ニット・インの３本の糸からなるダブルフリース編地であって、タイ・イン糸は全てニットし、ニット・イン糸がニットあるいはウエルトされたことを特徴とするダブルフリース編地によって達成できる。さらに、好ましくは連続するインレー糸、タイ・イン糸、ニット・イン糸を１つのブロックとし、最初のブロックではタックされたインレー糸がタイ・インループで押さえられその上からニット・インループを重ねて編み込み、最初のブロックに続くブロックでは前記最初のブロックのインレー糸がタックされた同一ウエール上でニット・イン糸がウエルトする。【選択図】        図２
2010024607.tif 000002
【特許請求の範囲】
【請求項１】
丸編機で編成されたインレー、タイ・イン、ニット・インの３本の糸からなるダブルフリース編地であって、タイ・イン糸は全てニットし、ニット・イン糸がニットあるいはウエルトされたことを特徴とするダブルフリース編地。
【請求項２】
連続するインレー糸、タイ・イン糸、ニット・イン糸を１つのブロックとし、最初のブロックではタックされたインレー糸がタイ・インループで押さえられ、その上からニット・インループを重ねて編み込まれ、最初のブロックに続くブロックでは前記最初のブロックのインレー糸がタックされた同一ウエール上でニット・イン糸がウエルトされたことを特徴とする請求項１に記載のダブルフリース編地。
【請求項３】
インレーの柄が１×１(ウエルト／タック)であることを特徴とする請求項２に記載のダブルフリース編地。
【請求項４】
インレーの柄が２×１(ウエルト／タック)であることを特徴とする請求項２に記載のダブルフリース編地。
【請求項５】
インレーの柄が３×１(ウエルト／タック)であることを特徴とする請求項２に記載のダブルフリース編地。
【請求項６】
第１ブロックのインレー糸（Ａ１）は第１ウエールがタック、第２ウエールから第４ウエールまでがウエルトで以下繰り返し、第１ブロックのタイ・イン糸（Ａ２）は全てのウエールがニットで以下繰り返し、第１ブロックのニット・イン糸（Ａ３）は第１ウエールから第２ウエールまでがニット、第３ウエールがウエルト、第４ウエールがニットで以下繰り返し、
次に第２ブロックのインレー糸（Ａ４）は第１ウエールから第２ウエールまでがウエルト、第３ウエールがタック、第４ウエールがウエルトで以下繰り返し、第２ブロックのタイ・イン糸（Ａ５）は全てのウエールがニットで以下繰り返し、第２ブロックのニット・イン糸（Ａ６）は第１ウエールから第２ウエールまでがニット、第３ウエールがウエルト、第４ウエールがニットで以下繰り返し、
次に第３ブロックのインレー糸（Ａ７）は第１ウエールがタック、第２ウエールから第４ウエールまでがウエルトで以下繰り返し、第３ブロックのタイ・イン糸（Ａ８）は全てのウエールがニットで以下繰り返し、第３ブロックのニット・イン糸（Ａ９）は第１ウエールがウエルト、第２ウエールから第４ウエールまでがニットで以下繰り返し、
次に第４ブロックのインレー糸（Ａ１０）は第１ウエールから第２ウエールまでがウエルト、第３ウエールがタック、第４ウエールがウエルトで以下繰り返し、第４ブロックのタイ・イン糸（Ａ１１）は全てのウエールがニットで以下繰り返し、第４ブロックのニット・イン糸（Ａ１２）は第１ウエールがウエルト、第２ウエールから第４ウエールまでがニットで以下繰り返して形成された、
１２コースで１レピートの柄を形成しているダブルフリース編地。
【請求項７】
第１ブロックのインレー糸（Ｂ１）は第１ウエールがタック、第２ウエールから第３ウエールまでがウエルトで以下繰り返し、第１ブロックのタイ・イン糸（Ｂ２）は全てのウエールがニットで以下繰り返し、第１ブロックのニット・イン糸（Ｂ３）は第１ウエールから第２ウエールまでがニット、第３ウエールがウエルト以下繰り返し、
次に第２ブロックのインレー糸（Ｂ４）は第１ウエールがウエルト、第２ウエールがタック、第３ウエールがウエルトで以下繰り返し、第２ブロックのタイ・イン糸（Ｂ５）は全てのウエールがニットで以下繰り返し、第２ブロックのニット・イン糸（Ｂ６）は第１ウエールがウエルト、第２ウエールから第３ウエールまでがニットで以下繰り返し、
次に第３ブロックのインレー糸（Ｂ７）は第１ウエールから第２ウエールまでがウエルト、第３ウエールがタックで以下繰り返し、第２ブロックのタイ・イン糸（Ｂ８）は全てのウエールがニットで以下繰り返し、第２ブロックのニット・イン糸（Ｂ９）は第１ウエールがニット、第２ウエールがウエルト、第３ウエールがニットで以下繰り返して形成された、
９コースで１レピートの柄を形成しているダブルフリース編地。
【請求項８】
第１ブロックのインレー糸（Ｄ１）は第１ウエールがタック、第２ウエールから第４ウエールまでがウエルトで以下繰り返し、第１ブロックのタイ・イン糸（Ｄ２）は全てのウエールがニットで以下繰り返し、第１ブロックのニット・イン糸（Ｄ３）は第１ウエールがウエルト、第２ウエールがニット、第３ウエールがウエルト、第４ウエールがニットで以下繰り返し、
次に第２ブロックのインレー糸（Ｄ４）は第１ウエールがウエルト、第２ウエールがタック、第３ウエールから第４ウエールまでがウエルトで以下繰り返し、第２ブロックのタイ・イン糸（Ｄ５）は全てのウエールがニットで以下繰り返し、第２ブロックのニット・イン糸（Ｄ６）は第１ウエールがニット、第２ウエールがウエルト、第３ウエールがニット、第４ウエールがウエルトで以下繰り返し、
次に第３ブロックのインレー糸（Ｄ７）は第１ウエールから第２ウエールまでがウエルト、第３ウエールがタック、第４ウエーがウエルトで以下繰り返し、第３ブロックのタイ・イン糸（Ｄ８）は全てのウエールがニットで以下繰り返し、第３ブロックのニット・イン糸（Ｄ９）は第１ウエールがウエルト、第２ウエールがニット、第３ウエールがウエルト、第４ウエールがニットで以下繰り返し、
次に第４ブロックのインレー糸（Ｄ１０）は第１ウエールから第３ウエールまでがウエルト、第４ウエールがタックで以下繰り返し、第４ブロックのタイ・イン糸（Ｄ１１）は全てのウエールがニットで以下繰り返し、第４ブロックのニット・イン糸（Ｄ１２）は第１ウエールがニット、第２ウエールがウエルト、第３ウエールがニット、第４ウエールがウエルトで以下繰り返して形成された、
１２コースで１レピートの柄を形成しているダブルフリース編地。
【発明の詳細な説明】
【技術分野】
【０００１】
本発明は、丸編機の編成部で編成されたダブルフリース編地に関するものである。特に、編地の表側がメッシュ編みで意匠性に富んだ編地に関する。
【背景技術】
【０００２】
一般に、丸編機の編成部によって編成されたダブルフリース編地はインレー糸をタイ・インループで押さえ、その上からニット・インループを重ねて編み込んだもので、インレー糸が表目側に現れないのが特徴となっている。インレー、タイ・イン、ニット・インの３本の糸で編むことから「３エンドフリース」あるいは「３スレッドフリース」とも呼ばれている。
【０００３】
編地裏側のインレーの柄は１×１千鳥、２×１綾、３×１千鳥が代表的で、編機によってはインレー糸をジャガード調に出現させることが出来る。
【０００４】
図１は、従来の３×１千鳥ダブルフリース編地を、表１はその編地分解図を示す。
【０００５】
【表１】
2010024607.tif 000003
【発明の概要】
【発明が解決しようとする課題】
【０００６】
しかしながら、上述の編地には、ダブルフリース編みのタイイン・ループとニットイン・ループからなる基礎編地に鮮明なメッシュ柄とダブルフリース編みの両方の特徴を合わせ持ったダブルフリース編地は存在していなかった。
【課題を解決するための手段】
【０００７】
前記の課題を解決する本発明は、丸編機で編成されたインレー、タイ・イン、ニット・インの３本の糸からなるダブルフリース編地であって、タイ・イン糸は全てニットし、ニット・イン糸がニットあるいはウエルトされたことを特徴とするダブルフリース編地によって達成できる。
【０００８】
好ましくは連続するインレー糸、タイ・イン糸、ニット・イン糸を１つのブロックとし、最初のブロックでタックされたインレー糸がタイ・インループで押さえられその上からニット・インループを重ねて編み込まれ、最初のブロックに続くブロックで前記最初のブロックのインレー糸がタックされた同一ウエール上でニット・イン糸がウエルトされたことを特徴とする。
【発明の効果】
【０００９】
本発明の編地では、ダブルフリース編みにおいて、タイイン・ループとニットイン・ループからなる基礎編地に鮮明なメッシュ柄が出現し、そのために通気性がよく、また、一般衣料としてダブルフリース編みとメッシュ柄の両方の特徴を合わせ持った意匠性に富んだ編地が得られた。さらに、全てのインレー糸のタック部ではタイイン・ループで十分に保持している為に、メッシュ柄による影響も受けずインレーの乱れもなく、綺麗な編地となる。さらに、ニットイン・ループをニット・ループは全てがニットではなく、選択的にウエルトにする事で編地が軽くなり、軽量フリース編地が得られる。
【図面の簡単な説明】
【００１０】
【図１】従来の３×１千鳥ダブルフリース編地を示す。
【図２】本発明の実施例１で説明する３×１千鳥柄ダブルフリース（メッシュ）編地の一部を示す。
【図３】本発明の実施例２で説明する２×１綾柄ダブルフリース（メッシュ）編地の一部を示す。
【図４】本発明の実施例３で説明する１×１千鳥柄ダブルフリース（メッシュ）編地の一部を示す。
【図５】本発明の実施例４で説明する３×１綾柄ダブルフリース（メッシュ）編地の背面図の一部を示す。
【発明を実施するための最良の形態】
【００１１】
以下、本発明の好適な実施の形態について、表及び図面を参照しつつ説明する。
【００１２】
図２〜５は本発明の実施例の編地を示し、また、表２〜５は前記の図２〜５に対応した編地分解図を示すものである。
【００１３】
表中の符号○はニットループ、●はインレー糸のタックループ、―はインレー糸のウエルト、Wはニット・イン糸のウエルトを示す。また、符号Ｂはブロックと呼び、便宜上連続するインレー糸、タイ・イン糸、ニット・イン糸からなる３コースを１つのブロックとする。符号Ｃはコースを示し、編地の横方向に連続したループであり、また符号は記していないが、編地の縦方向に連続したループはウエールを示す。
【実施例１】
【００１４】
次に、本発明の実施例１である図２および表２について説明する。
【００１５】
図２および表２の第１ブロックのインレー糸（Ａ１）は第１ウエールがタック、第２ウエールから第４ウエールまでがウエルトで以下繰り返している。第１ブロックのタイ・イン糸（Ａ２）は全てのウエールがニットで以下繰り返している。第１ブロックのニット・イン糸（Ａ３）は第１ウエールから第２ウエールまでがニット、第３ウエールがウエルト、第４ウエールがニットで以下繰り返している。
【００１６】
次に第２ブロックのインレー糸（Ａ４）は第１ウエールから第２ウエールまでがウエルト、第３ウエールがタック、第４ウエールがウエルトで以下繰り返している。第２ブロックのタイ・イン糸（Ａ５）は全てのウエールがニットで以下繰り返している。第２ブロックのニット・イン糸（Ａ６）は第１ウエールから第２ウエールまでがニット、第３ウエールがウエルト、第４ウエールがニットで以下繰り返している。
【００１７】
次に第３ブロックのインレー糸（Ａ７）は第１ウエールがタック、第２ウエールから第４ウエールまでがウエルトで以下繰り返している。第３ブロックのタイ・イン糸（Ａ８）は全てのウエールがニットで以下繰り返している。第３ブロックのニット・イン糸（Ａ９）は第１ウエールがウエルト、第２ウエールから第４ウエールまでがニットで以下繰り返している。
【００１８】
次に第４ブロックのインレー糸（Ａ１０）は第１ウエールから第２ウエールまでがウエルト、第３ウエールがタック、第４ウエールがウエルトで以下繰り返している。第４ブロックのタイ・イン糸（Ａ１１）は全てのウエールがニットで以下繰り返している。第４ブロックのニット・イン糸（Ａ１２）は第１ウエールがウエルト、第２ウエールから第４ウエールまでがニットで以下繰り返している。
【００１９】
以上のように１２コースで１レピートの柄を形成している。
【００２０】
【表２】
2010024607.tif 000004
【実施例２】
【００２１】
次に、本発明の実施例２である図３および表３について説明する。
【００２２】
図３および表３の第１ブロックのインレー糸（Ｂ１）は第１ウエールがタック、第２ウエールから第３ウエールまでがウエルトで以下繰り返している。第１ブロックのタイ・イン糸（Ｂ２）は全てのウエールがニットで以下繰り返している。第１ブロックのニット・イン糸（Ｂ３）は第１ウエールから第２ウエールまでがニット、第３ウエールがウエルト以下繰り返している。
【００２３】
次に第２ブロックのインレー糸（Ｂ４）は第１ウエールがウエルト、第２ウエールがタック、第３ウエールがウエルトで以下繰り返している。第２ブロックのタイ・イン糸（Ｂ５）は全てのウエールがニットで以下繰り返している。第２ブロックのニット・イン糸（Ｂ６）は第１ウエールがウエルト、第２ウエールから第３ウエールまでがニットで以下繰り返している。
【００２４】
次に第３ブロックのインレー糸（Ｂ７）は第１ウエールから第２ウエールまでがウエルト、第３ウエールがタックで以下繰り返している。第２ブロックのタイ・イン糸（Ｂ８）は全てのウエールがニットで以下繰り返している。第２ブロックのニット・イン糸（Ｂ９）は第１ウエールがニット、第２ウエールがウエルト、第３ウエールがニットで以下繰り返している。
【００２５】
以上のように９コースで１レピートの柄を形成している。
【００２６】
【表３】
2010024607.tif 000005
【実施例３】
【００２７】
次に、本発明の実施例２である図４および表４について説明する。
【００２８】
図４および表４の第１ブロックのインレー糸（Ｃ１）は第１ウエールがタック、第２ウエールがウエルトで以下繰り返している。第１ブロックのタイ・イン糸（Ｃ２）は全てのウエールがニットで以下繰り返している。第１ブロックのニット・イン糸（Ｃ３）は第１ウエールがウエルト、第２ウエールがニットで以下繰り返している。
【００２９】
次に第２ブロックのインレー糸（Ｃ４）は第１ウエールがウエルト、第２ウエールがタックで以下繰り返している。第２ブロックのタイ・イン糸（Ｃ５）は全てのウエールがニットで以下繰り返している。第２ブロックのニット・イン糸（Ｃ６）は第１ウエールがニット、第２ウエールがウエルト以下繰り返している。
【００３０】
以上のように６コースで１レピートの柄を形成している。
【００３１】
【表４】
2010024607.tif 000006
【実施例４】
【００３２】
次に、本発明の実施例４である図５および表５について説明する。
【００３３】
図５および表５の第１ブロックのインレー糸（Ｄ１）は第１ウエールがタック、第２ウエールから第４ウエールまでがウエルトで以下繰り返している。第１ブロックのタイ・イン糸（Ｄ２）は全てのウエールがニットで以下繰り返している。第１ブロックのニット・イン糸（Ｄ３）は第１ウエールがウエルト、第２ウエールがニット、第３ウエールがウエルト、第４ウエールがニットで以下繰り返している。
【００３４】
次に第２ブロックのインレー糸（Ｄ４）は第１ウエールがウエルト、第２ウエールがタック、第３ウエールから第４ウエールまでがウエルトで以下繰り返している。第２ブロックのタイ・イン糸（Ｄ５）は全てのウエールがニットで以下繰り返している。第２ブロックのニット・イン糸（Ｄ６）は第１ウエールがニット、第２ウエールがウエルト、第３ウエールがニット、第４ウエールがウエルトで以下繰り返している。
【００３５】
次に第３ブロックのインレー糸（Ｄ７）は第１ウエールから第２ウエールまでがウエルト、第３ウエールがタック、第４ウエーがウエルトで以下繰り返している。第３ブロックのタイ・イン糸（Ｄ８）は全てのウエールがニットで以下繰り返している。第３ブロックのニット・イン糸（Ｄ９）は第１ウエールがウエルト、第２ウエールがニット、第３ウエールがウエルト、第４ウエールがニットで以下繰り返している。
【００３６】
次に第４ブロックのインレー糸（Ｄ１０）は第１ウエールから第３ウエールまでがウエルト、第４ウエールがタックで以下繰り返している。第４ブロックのタイ・イン糸（Ｄ１１）は全てのウエールがニットで以下繰り返している。第４ブロックのニット・イン糸（Ｄ１２）は第１ウエールがニット、第２ウエールがウエルト、第３ウエールがニット、第４ウエールがウエルトで以下繰り返している。
【００３７】
以上のように１２コースで１レピートの柄を形成している。
【００３８】
【表５】
2010024607.tif 000007
【００３９】
上記実施例１−４の編地は、それ自体公知のダブルフリース編機を使用し、本発明の設定を施すことにより製造することができる。そのようなダブルフリース編機としては、例えば、株式会社福原精機製作所（神戸市）製造のＳ３．２ＤＦが挙げられる。
【００４０】
なお、本発明は前記の１−４実施例に限定されるものではなく、特許請求の範囲内でさまざまな変形が可能である。
【符号の説明】
【００４１】
Ａ１、Ａ４  実施例１のインレー糸
Ａ２、Ａ５  実施例１のタイ・イン糸
Ａ３、Ａ６  実施例１のニット・イン糸
Ｂ１、Ｂ４  実施例２のインレー糸
Ｂ２、Ｂ５  実施例２のタイ・イン糸
Ｂ３、Ｂ６  実施例２のニット・イン糸
Ｃ１、Ｃ４  実施例３のインレー糸
Ｃ２、Ｃ５  実施例３のタイ・イン糸
Ｃ３、Ｃ６  実施例３のニット・イン糸
Ｄ１、Ｄ４  実施例４のインレー糸
Ｄ２、Ｄ５  実施例４のタイ・イン糸
Ｄ３、Ｄ６  実施例４のニット・イン糸
【図１】
2010024607.tif 000008
【図２】
2010024607.tif 000009
【図３】
2010024607.tif 000010
【図４】
2010024607.tif 000011
【図５】
2010024607.tif 000012